(57)【特許請求の範囲】
【請求項１】
無機ガラスシートを含むガラス基材を含み、かつ前記ガラス基材が貫通開口部を含んでいる、グレージングユニットであって、
前記ガラス基材の主面に、前記開口部を取り囲む結合トラックによって、補強用部材が、当該グレージングユニットの面が前記補強用部材を支持するようにして結合されており、
前記主面は、自動車の搭乗室の内側に向けられており、
前記結合トラックが、前記主面に、厚さが０．１〜５ｍｍの範囲内の接着剤を用いて結合されており、
前記グレージングユニットは、積層グレージングユニットであり、当該積層グレージングユニットにおいて、前記貫通開口部を含むガラス基材は、当該グレージングユニットに関して外側の位置の第１のガラス基材であり、第２のガラス基材が、それと一緒にされており、２つの前記ガラス基材は、ポリマー材料の中間層によって隔てられており、
前記第２のガラス基材は、前記第１のガラス基材の前記開口部に面する開口部を含まず、
前記第１のガラス基材の前記開口部が、前記補強用部材を備えており、
前記補強用部材が、前記第１のガラス基材の前記主面への結合後に前記第１のガラス基材から突出しており、
前記補強用部材が、前記結合トラックにより取り囲まれた孔を含み、前記孔は、前記開口部に面するようにされており、前記補強用部材は、前記孔により少なくとも部分的に画定されたハウジングを含み、このハウジングが、前記ガラス基材の開口部の端面を照らすように配置されたＬＥＤを支持する電気モジュールを受け入れている、
ことを特徴とする、グレージングユニット。
【請求項２】
前記補強用部材が、当該補強用部材の少なくとも２つの箇所を接続するフィラー部品を含み、当該２つの箇所は、前記結合トラックの範囲内で前記孔の両側に位置しており、当該フィラー部品は、前記孔に少なくとも部分的に面しており、また当該フィラー部品は、前記結合トラックから突出し、かつ前記ガラス基材に面して当該グレージングユニット内に、又は前記ガラス基材の開口部内に、収容されていることを特徴とする、請求項１記載のグレージングユニット。
【請求項３】
前記補強用部材の孔が、前記開口部を取り囲んでおり、かつ当該開口部の端面と当該孔の端面との間隔が５ｍｍを超えていないことを特徴とする、請求項１又は２記載のグレージングユニット。
【請求項４】
前記補強用部材が、軸線が前記結合トラックと直角である管状部分を含むことを特徴とする、請求項１〜３のいずれか１つに記載のグレージングユニット。
【請求項５】
前記ガラス基材に面して、又はその開口部内で、当該グレージングユニットの内部に電気モジュールが収容されていることを特徴とする、請求項１〜４のいずれか１つに記載のグレージングユニット。
【請求項６】
前記電気モジュールが、前記ガラス基材の開口部の端面を照らすように配置されたＬＥＤを支持していることを特徴とする、請求項５記載のグレージングユニット。
【請求項７】
前記補強用部材が、前記電気モジュールを受け入れるハウジングを含むことを特徴とする、請求項５又は６記載のグレージングユニット。
【請求項８】
前記電気モジュールがさらに、当該グレージングユニットの外側の面から直接照明するために配置されたＬＥＤを支持している、請求項１〜７のいずれか１つに記載のグレージングユニット。
【請求項９】
前記ポリマー材料の中間層に、前記第１のガラス基材の開口部に面する空所がない、請求項１〜８のいずれか１つに記載のグレージングユニット。
【請求項１０】
ポリマー材料の前記中間層が、前記第１のガラス基材の開口部に面する空所を含むことを特徴とする、請求項１〜８のいずれか１つに記載のグレージングユニット。
【請求項１１】
フィラー部品が、前記結合トラックの範囲内で前記孔の両側の前記補強用部材の少なくとも２つの箇所を接続しており、このフィラー部品は、少なくとも部分的に前記孔に面しており、当該フィラー部品は、前記結合トラックから突出し、かつ当該グレージングユニットの範囲内で、前記ガラス基材の開口部に面して又はその範囲内に、収容されていることを特徴とする、請求項１〜１０のいずれか１つに記載のグレージングユニット。
【請求項１２】
フィラー部品が、前記結合トラックの範囲内で前記孔の両側の前記補強用部材の少なくとも２つの箇所を接続しており、このフィラー部品は、少なくとも部分的に前記孔に面しており、当該フィラー部品は、前記結合トラックから突出し、かつ当該グレージングユニットの範囲内且つ前記第１のガラス基材の開口部に面するポリマー材料の前記中間層の空所の範囲内で、前記ガラス基材の開口部に面して又はその範囲内に、収容されていることを特徴とする、請求項１０記載のグレージングユニット。
【請求項１３】
自動車用の、特に自動車の屋根用の、積層グレージングユニットであることを特徴とする、請求項１〜１２のいずれか１つに記載のグレージングユニット。
【請求項１４】
前記補強用部材の結合トラックが、前記ガラス基材の主面に、厚さが０．１〜１ｍｍの範囲内の接着剤を用いて結合されていることを特徴とする、請求項１〜１３のいずれか１つに記載のグレージングユニット。
【発明の詳細な説明】
【技術分野】
【０００１】
本発明は、開口部を備えたグレージングユニットと、その開口部を補強するための方法の分野に関する。
【背景技術】
【０００２】
グレージングユニットは、使用時に、特にそれらを取り扱う際に、破壊を防ぐために耐えなくてはならない熱的及び機械的応力にさらされる。例えば、車両のフロントガラスは、車体への取り付けの際に、これが手動で行われるかロボットにより行われるかにかかわらず、周縁部に機械的な力がかけられる。機械的応力に加えて、グレージングユニットは、例えばフロントガラスの霜取りサイクルの間、熱に由来の応力を受けることがある。グレージングユニットの縁部における熱又は機械的な原因によるこれらの応力は、破損のリスクをもたらす。グレージングユニットに高い機械的強度を提供するためには、グレージングユニットの製造の際に圧縮端部応力を発生させる。これらの端部応力は知られているものであり、自動車製造業者の仕様書に規定されている。当該端部は、グレージングユニットの外縁であり、そしてまた開口部などの空所領域の端部でもある。開口部の端部はグレージングユニットの特に傷つきやすい領域であり、そして更にそれは必要な端部応力を与えるのが一般に困難である。しかし、これらの開口部又はそれらの直ぐ近傍は一般に、ケーブルの貫通のため又は装備品、例えばアンテナ、レインセンサー、天井灯などの固定のために用いられるので、特に強い端部を備えた開口部とすることが望ましい。
【０００３】
開口部は、機械的応力に対する耐性の点から見て２つの問題、すなわち、空所部がグレージングユニットの使用時の負荷に耐えなくてはならない端部を生じさせる問題、そして空所部が材料の局所的な除去に起因する応力集中の領域を生じさせる問題を引き起こす。これに関連して、グレージングユニットは、開口の縁部で、様々な機械的応力、すなわち装備品の固定に起因する恒久的な応力、特に装備品への衝撃があった場合に生じる過渡応力にさらされる。例えば、自動車の後部ハッチのグレージングユニットの事例において開口部がワイパーを受け入れるのを目的とする場合、開口の端部はハッチを閉じるのに耐えなくてはならない。
【０００４】
国際出願ＰＣＴ／ＦＲ２０１２／０５２３２９号明細書には、少なくとも２つのガラス基材とこれらの基材の間に配置されたポリマー材料製の少なくとも１つの中間層とを含む積層グレージングユニットを製造するための方法が教示されており、この方法は、基材を湾曲させること、基材を制御して冷却すること、ガラス基材と中間層とを集成することを含み、この方法は、基材を湾曲させること、基材を制御して冷却すること、基材と中間層とを含む積層集成体を作ること、積層集成体をその主表面の一方における線に沿ってその厚さ全体を通して切断すること、全体的な制御冷却と切断線を含む領域の局所的な制御冷却とを含む制御した冷却を行うことを含み、局所的な制御冷却は全体的制御冷却よりも速い。この方法は、開口部に端部応力を与え、それらを機械的及び熱的応力によりよく耐えることができるようにする。
【０００５】
国際出願ＰＣＴ／ＦＲ２０１２／０５２３３０号明細書には、２つの長手方向の端部と２つの横方向の端部とを含み長手方向の中央平面に対して対称である自動車屋根であり、少なくとも１枚の無機ガラスシートを含むグレージングユニットからなる自動車屋根であって、当該ガラスシートが圧縮端部応力のベルト状領域を含み、また当該ガラスシートが当該ベルト状領域の内側に前記対称の平面について対称的に位置する圧縮応力の少なくとも２つの領域を含み、圧縮応力の各局所領域が長手方向の端部から３０ｃｍ未満である自動車屋根が教示されている。
【０００６】
フランス国特許出願第１２５９７４４号明細書には、２枚のガラスシート、これらのガラスシートの間に配置されたポリマー材料の中間層、及び導電体を含む湾曲積層グレージングを製造する方法が教示されており、この方法は、一組にした状態のガラスシートを熱で同時に湾曲させてから冷却すること、次にガラスシートを中間層のそれぞれの面に結合させることにより積層グレージングユニットを組み立てること、そして切断領域の切断線に沿ってガラスシートのうちの一方のものを切断して空所領域を形成すること、導電体をガラスシートの間に配置して当該空所領域を通して積層グレージングユニットから出すことを含み、前記冷却は一組にした状態のガラスシートの制御冷却を含み、この制御冷却は全体的な制御冷却と切断領域の局所的な制御冷却とを含み、局所制御冷却は全体的な制御冷却よりも速い。この方法は、開口部に端部応力を与え、それらを機械的及び熱的応力によりよく耐えることができるようにする。
【０００７】
国際出願ＰＣＴ／ＦＲ２０１３／０５０１２４号明細書には、その光が積層グレージングユニットの端面を通過する発光ダイオード（ＬＥＤ）を備えた照明装置が教示されている。
【先行技術文献】
【特許文献】
【０００８】
【特許文献１】国際出願ＰＣＴ／ＦＲ２０１２／０５２３２９号明細書
【特許文献２】国際出願ＰＣＴ／ＦＲ２０１２／０５２３３０号明細書
【特許文献３】フランス国特許出願第１２５９７４４号明細書
【特許文献４】国際出願ＰＣＴ／ＦＲ２０１３／０５０１２４号明細書
【発明の概要】
【課題を解決するための手段】
【０００９】
本発明によれば、無機ガラスシートを含むガラス基材の開口部の端部を、開口部の周りに結合せせることができる結合トラックを含む補強用部材をガラス基材の主面に結合させることによって補強する。この結合トラックは、ガラス基材の主面への結合後にガラス基材から突出する補強用部材の一体部分によって支持される。結合トラックは、部材を開口部の周りに結合させるための接着剤を受け取る。この補強用部材は、ガラス基材に結合されたならそれから突出して開口部を隠蔽するディスクでよい。「開口部の周りに」との表現は、結合トラックの少なくとも一部分が開口部の全体に延在することを意味するものであり、結合トラックを支持する面は開口部を少なくとも部分的に隠蔽してもよく、あるいは逆に開口部を隠蔽しなくてもよいものと理解される。よって、結合トラック及び開口部を含むガラス基材の主面の両者と接触する接着剤は、連続的にあるいは不連続的に、開口部の全体に延在する。
【００１０】
従って、本発明は第一に、無機ガラスシートを含むガラス基材を含むグレージングユニットに関し、このガラス基材は貫通する開口部を含み、当該ガラス基材の主面には補強用部材が当該開口部を取り囲む結合トラックを用いて結合される。
【００１１】
とりわけ、ガラス基材に面し又はその開口部の内側で、グレージングユニットの内部に電気モジュールを収容してもよい。本発明による補強用部材は、この電気モジュールを適所に保持するのに寄与することができる。特に、補強用部材は電気モジュールを受け入れるハウジングを含むことができる。補強用部材は、補強すべきガラス基材の開口部に面して位置する孔（円形又は非円形状の）を含むことができる。一般に、補強用部材の孔の軸線はガラス基材の開口部の軸線と一致する。この孔は、結合トラックを支持する面に位置し、そしてこの結合トラックにより囲まれている。補強用部材の孔の周囲長さは開口部の周囲長さより短くてもよく、この場合の補強用部材は開口部の一部を隠蔽する。補強用部材の孔の周囲長さはガラス基材の開口部より大きくてもよく、この場合の孔は基材の主面により少なくとも部分的に隠蔽され得る。基材の主面が補強用部材の孔を少なくとも部分的に隠蔽する場合には、開口部の端面と孔の端面との距離は好ましくは５ｍｍを超えない。同様に、この場合には、接着剤の少なくとも一部は、ガラス基材と、ガラス基材の開口部の周りに７ｍｍ離れて位置する線により形成される周縁部内の結合トラックとの間に存在する。基材の主面が補強用部材の孔を少なくとも部分的に隠蔽する場合には、補強用部材の孔は一般に、ガラス基材の開口部を取り囲む。
【００１２】
本発明は、その端部が既にそれを補強している内部圧縮端部応力を有するか、又はその端部が圧縮端部応力を有しない開口部を含むガラス基材に関する。全ての場合において、補強用部材が開口部の端部の強度を増加させる。補強の度合は、補強用部材の結合トラックを支持する部分の剛性とともに増加する。補強用部材の孔と同様に、結合トラックを支持する部分は、ポリマー材料で、例えばポリアミド、特にＰＡ  ６６  ＧＦ３０又はＰＡ  １２などで、製作することができる。補強用部材の結合トラックを支持する部分は０．１〜５ｍｍ、好ましくは０．５〜４ｍｍの範囲内の厚さを有するのが好ましい。
【００１３】
好ましくは、結合トラックは、それを結合させようとするガラス基材の表面と同じ曲率を有する。従って、ガラス基材が開口部の位置で湾曲している場合、結合トラックは、補強用部材が結合トラックを介して強制あるいは変形なしに機材と接触することができるように、同じ曲率を有することが好ましい。補強用部材の結合トラックは、ガラス基材の開口部を完全に取り囲むことができる外側輪郭を有する。従って、その周囲長さは、ガラス基材の開口部のそれより大きい。ガラス基材の開口部は、円形又は楕円形でもよく、あるいは直線のへりを有し、実質的に正方形又は長方形であってもよく、後者の場合の両方において角は丸味を帯びているのが好ましい。
【００１４】
補強用部材の結合トラックを支持する面は、補強しようとする開口部に面してガラス基材と平行に延在することができ、従って、ガラス基材の開口部の端面が結合トラックが結合するガラス基材の主面と接触することにより画定される端部を覆うことができる。
【００１５】
結合トラックとガラス基材とに適用される接着剤は一般に、使用時（硬化後）の条件で０．１〜５ｍｍ、好ましくは０．１〜１ｍｍの範囲の厚さを有する。接着剤は、例えば、構造用接着タイプの両面テープ、例として３Ｍ社のＳＢＴ  ９２７０テープ、でよい。この接着剤を用いて組み立てられる部分は、例えば最低限４ｋｇ／ｍ2の圧力で、互いに対し押しつけられるのが好ましい。この接着剤の場合、ガラスは特別な表面処理を必要としない（もちろんクリーニングすることは別として）。とは言え、結合トラックは事前にプラズマで処理することが好ましい。ＨＭＲ（ホットメルト反応性）接着剤、又は二成分あるいは単一成分タイプのＰＵ接着剤、例えばＤｏｗ  Ａｕｔｏｍｏｔｉｖｅ  Ｃｏｒｐｏｒａｔｉｏｎにより市販されているＢｅｔａｍａｔ  ７１１２など、を使用することも可能である。これらのタイプの接着剤の場合、接着剤を適用する前にガラスに接着剤用プライマーを適用するのが好ましい。この場合にも、結合トラックは事前にプラズマ処理するのが好ましい。
【００１６】
結合トラックは、補強用部材のガラス基材の開口部に面して孔が位置するリングの形をした部分よって支持することができる。
【００１７】
補強用部材は一般に、軸線が結合トラックに対して垂直である管状の部分を含む。この管状部分は、結合トラックを支持する部分と同じ材料で製作するのが好ましい。結合トラックを支持するこの部分と管状部分は、ポリマー材料を成形型へ注入して同時に形成することができ、従って両者とも互いどうし「ワンピースで製作」される。この管状部分は補強用部材に剛性を付与し、そして補強用部材の内部にハウジングを形成するのに寄与し、例えば電気モジュールを、そこに配置するのを可能にする。この管状部分は、円形、楕円形、正方形又は長方形の断面を有することができる。一般には、管状部分の断面は結合トラックを支持する部分の形状、とりわけ円形と、外見は同一の形状を有する。従って、結合トラックをリング状の部分により支持してもよく、そして管状部分をリングに、それに対して垂直に接続してもよく、この管状部分の軸線はリングの孔の軸線と一致する。
【００１８】
管状部分は、結合トラックをガラス基材の開口部の周りに結合するときに、ガラス基材の開口部に入ることができる。管状部分はまた、結合トラックをガラス基材に結合させたならば、ガラス基材からそして結合トラックを支持する部分（例えばリングなど）から突出したままであってもよい。管状部分はまた、結合トラックをガラス基材に結合させたならば、ガラス基材の開口部に入り込んでもよく、且つガラス基材から突出してもよい。補強用部材、結合トラックをガラス基材に結合させたならば、一方はガラス基材から突出し他方はガラス基材の開口部に入り込む複数の管状部分を含んでもよい。
【００１９】
「ガラス基材」という用語は、単一のガラスシートを含み、湾曲していても湾曲していなくてもよく、１以上の薄層（日射遮蔽又は反射防止など）又は１以上のエナメル層で被覆されていても被覆されていなくてもよい、シートを意味する。ガラス基材は、２つの主面と端面を含む。本発明の全ての実施形態において、その端部を補強しようとする開口部を含むガラス基材は、無機ガラスのシート、すなわちシリカを、一般には４０ｗｔ％より多くの割合のシリカを含むガラスのシートを含む。補強すべき開口部の端部は、この無機ガラスシートのそれである。ガラスは一般に、特に光放射線を通過させなければならない場合、透明である。それは無色のソーダ石灰無機ガラス、例えば本出願人が販売するＰｌａｎｉｌｕｘ（商標）など、でよい。この孔開きのガラス基材は一般に、１．４〜６ｍｍの範囲の厚さを有する。
【００２０】
ガラス基材は、別のガラス基材と一緒にされていないことが可能である。とは言え、それは積層グレージングユニットにおいて別のガラス基材と一緒にされていることも可能である。積層グレージングユニットは、ポリマー材料の中間層により隔てられてそれに結合している複数のガラス基材を含む。中間層のポリマー材料は、一般にはポリビニルブチラール、もっと一般的には“ＰＶＢ”と称されるものである。
【００２１】
積層グレージングユニットの場合、それに含まれる全てのガラス基材は一般に、無機ガラスで製作される。自動車向けのグレージングユニットの場合、その積層グレージングユニットは一般に、２つの無機ガラスシートとこれら２つのガラス基材の間に配置されたポリマー材料のシートとを含む。
【００２２】
積層グレージングユニットの場合、開口部は、グレージングユニットに関して外側の位置の第１のガラス基材に位置する。これは、開口部を含む第１のガラス基材がグレージングユニットの２つのガラスシートの間に挿入されていないことを意味する。第１のガラス基材の開口部は、第２のガラス基材へと続いてもよい。従って、積層グレージングユニットが２つのガラス基材を含む場合には、開口部は積層グレージングユニットの全体を通り抜ける「貫通」開口部である。しかし、第１のガラス基材の開口部はポリマー材料の中間層によりそれに接合する第２のガラス基材に引き継がれないことが可能であり、この場合当該第２のガラス基材には第１のガラス基材の開口部に面する開口部がない。ここでは、次の２つの場合がある。
ａ）開口部が２つのガラス基材の間の中間層を通じて継続し、中間層に空所が作られる。この場合、第２のガラス基材が、第１のガラス基材の開口によって部分的に形成されるグレージングユニットのハウジングの基部を形成する。
ｂ）開口部が２つのガラス基材の間の中間層を通じて継続しない。この場合、第１のガラス基材の開口部によって形成されるグレージングユニットのハウジングの基部を形成するのは中間層である。
【００２３】
結合トラックが補強用部材の孔を取り囲む場合には、補強用部材はその孔に面する部品を含むことができる。フィラー部品と呼ばれるこの部品は、補強用部材に直接又は間接的に固定される。それは、ガラス基材の開口部により部分的に形成されるグレージングユニットのハウジング内に収容されるように、結合トラックから突出してもよい。この部品は、補強用部材の少なくとも２つの箇所に接合され、これらの箇所は孔の両側で結合トラックの範囲内に位置し、これらの２つの箇所を結ぶ直線は、孔をその軸線に沿ってみたときに、孔を通り抜ける。必要なら、このフィラー部品は程度の差はあれ中空でなくてよく、そして補強用部材の真の基部を形成することができる。積層グレージングユニットの場合にあって、結合トラックを結合させることができるように第１のガラス基材の開口部をこのフィラー部品が貫通する場合、及び開口部が基部（ポリマー材料の中間層の形をしているか、あるいは第２のガラス基材の形をしている）を有する場合には、この基部を使用して、フィラー部品とガラス基材の開口部により少なくとも部分的に形成されるグレージングユニットのハウジングの基部との間に配置された接着剤（例えばのりなど）によって積層グレージングユニットに補強用部材を保持するのに寄与することができる。
【００２４】
このように、補強用部材は、補強用部材の少なくとも２つの箇所を連絡するフィラー部品を含むことができ、これらの２つの箇所は孔の両側で結合トラックの範囲内に位置し、フィラー部品はこの孔に少なくとも部分的に面し、そしてフィラー部品は結合トラックから突出してガラス基材に面するグレージングユニット内に、又はガラス基材の開口部内に収容される。
【００２５】
補強用部材は、ガラス基材の開口部を補強するというその機能に加えて、別の機能を有してもよい。とりわけ、それは場合によりそれを通り抜ける導電体を有してもよく、この導電体は場合により電流の導体である１以上の金属ケーブルを含む。補強用部材が上述のとおりの孔とフィラー部品を含む場合、このフィラー部品はそれ自体が導電体の通過のための孔を含むことができる。
【００２６】
補強用部材は、例として照明装置、電気スイッチ、又はレインセンサーなどの、電気装置、とりわけ電子装置のための収容器として働くこともできる。
【００２７】
補強用部材はまた、電気モジュール、とりわけ発光ダイオード（ＬＥＤ）タイプのモジュールのための収容器として働くこともできる。とりわけ、ＬＥＤは、ＬＥＤを開口部を有するガラス基材の端面に向けて配置するように補強用部材の内部に配置した電子回路により支持してもよい。ＬＥＤの光はガラス基材の端面を通り抜け、そしてガラス基材の光導波路として働く２つの主面の間を通り抜ける。ガラス基材を通り抜けるこの光は、開口部を有するガラス基材の主面に開口部から所定の距離をあけて配置された抽出エナメル又は反射エナメルにより、ガラス基材を横断する方向に少なくとも一部の向きを変更することができる。抽出（又は拡散）エナメルの場合には、エナメルに到達する光はエナメルを通過してガラス基材から出てゆく。反射エナメルの場合において、照明装置が車両の搭乗室を照らすこと、又は搭乗室において照明効果を生じさせることを目的とする場合には、反射エナメルをガラス基材の搭乗室の外部に向く主面上に配置する。抽出エナメルの場合において、照明装置が車両の搭乗室を照らすこと、又は搭乗室において照明効果を生じさせることを目的とする場合には、抽出エナメルをガラス基材の搭乗室の内部に向く主面上に配置する。
【００２８】
このように、本発明によるグレージングユニットは積層グレージングユニットでよく、貫通開口部を含むガラス基材は第１の外側ガラス基材であり、第２のガラス基材が積層グレージングユニットにおいてそれと一緒にされていて、これら２つのガラス基材はポリマー材料の中間層により隔てられている。この場合、第２のガラス基材は第１のガラス基材の開口部に面する開口部を含まないことが可能である。補強用部材は、この場合には、結合トラックにより取り囲まれた孔を含み、この孔はガラス基材の開口部に面して配置されており、当該補強用部材はその孔により少なくとも部分的に画定されたハウジングを含み、このハウジングが、ガラス基材の開口部の端面を照らすように配置されたＬＥＤを支持する電気モジュール（複数のＬＥＤが存在し得る可能性を示唆する）を受け入れ、且つ必要ならば、グレージングユニットの外部側から直接照明するために配置されたＬＥＤを含む。とりわけ、ポリマー材料の中間層は、第１のガラス基材の開口部に面する空所と、結合トラックの範囲内で孔の両側の補強用部材の少なくとも２つの箇所を連絡するフィラー部品とを含むことができ、このフィラー部品は少なくとも部分的に上記の孔に面しており、また当該フィラー部品は結合トラックから突出し、グレージングユニットの範囲内且つガラス基材に面しており又はその開口部内の空所の範囲内に収容されている。本発明はまた、ガラス基材の開口部のための照明及び補強装置であって、当該開口部の周りに結合させようとする結合トラックにより取り囲まれた孔を含む補強用部材を含み、この補強用部材が当該孔により少なくとも部分的に形成されたハウジングを含み、このハウジングが上記開口部の端面を照らすＬＥＤを支持する電子回路を受け入れている装置にも関する。
【００２９】
補強用部材は、レインセンサーを収容してもよい。この場合において、補強用部材を孔開きの積層グレージングユニットに取り付ける場合には、レインセンサーが一方のガラス基材を通してのみ動作するように、ガラス基材の開口部に面するＰＶＢを貫通する空所の形で切り取るのが好ましい。これは、レインセンサーは積層グレージングユニットのガラス基材を通して効果的に動作するが、ガラス基材と特定の厚みのＰＶＢの両方を通しての場合ははるかに効果的でないからである。
【００３０】
補強用部材は、ガラス基材を結合トラックが結合されるその主面の側から見たときに、開口部の領域と、そして適切な場合補強用部材の孔とを隠蔽するトリム部品を支持する働きをしてもよい。このトリム部品は、補強用部材に収容される例えばＬＥＤなどの電気装置、又は補強用部材の外部にある電気装置を作動させることができる電気スイッチを有してもよい。
【００３１】
本発明によるグレージングユニットが積層グレージングユニットである場合、補強用部材を備え付けたガラス基材の開口部に面する開口部のないガラス基材には、グレージングユニットの補強用部材を支持する側とは反対側から開口部又は開口部の領域を隠蔽するように、補強用部材を備え付けたガラス基材の開口部に面する開口部のないガラス基材に黒色エナメルの塗装を施すことができる。これは、グレージングユニットが自動車の屋根である場合に特に有効であり、その理由は、それが自動車の外側から屋根を通して開口部の領域が見えるのを防止するからである。
【００３２】
本発明によるグレージングユニットが積層グレージングユニットであり、且つポリマー材料の中間層が補強用部材を備え付けたガラス基材の開口部に面する開口部を含む場合には、補強用部材を備え付けたグレージングユニットの開口部に面する開口部のないガラス基材上に貫入防止フィルムを配置してもよく、この貫入防止フィルムは、ガラス基材及びポリマー材料の中間層の開口部によって脆くされた領域を覆う。このフィルムは、グレージングユニットの補強用部材を支持する側と反対側からの開口部の領域への衝撃によって侵入が試みられた場合に、グレージングユニットの補強用部材を支持する側をガラスの突出及び補強用部材により支持された装置に由来する材料の突出から保護する。これは、グレージングユニットが自動車の屋根である場合に特に有効である。
【００３３】
本発明による補強用部材の補強効果は、例えば、鋼製ボールをガラス基材上へ又はガラス基材を含むグレージングユニット上へ落下させる試験によって、確認することができる。このボール落下試験は、ガラス基材又はガラス基材を含むグレージングユニットの補強用部材を結合させたガラス基材の主面の側と反対側にボールを落下させることにより行われる。好適なボール落下試験は国連規則Ｒ４３に記載されている。
【図面の簡単な説明】
【００３４】
【図１】本発明による補強した開口部を備えた孔開きガラス基材を説明する図である。
【図２】無機ガラス基材の開口部を補強する働きをすることができる補強用部材の２つの異なる方向からの斜視図である。
【図３】開口部を含むガラス基材を有する積層グレージングユニットを説明する図である。
【図４】図２及び図３のものと同じ補強用部材を説明する図である。
【図５】本発明による補強用部材を有する照明装置を自動車の内部搭乗室から見た図である。
【発明を実施するための形態】
【００３５】
図１は、本発明による補強した開口部を備えた孔開きガラス基材を示している。無機ガラスシートタイプのガラス基材１は貫通開口部２を含んでいる。リング状の補強用部材３が、接着剤４を有するその結合トラック６によって、ガラス基材１の主面５で開口部２の全体を取り巻いて結合されている。ａ）では、リングの孔の周長はガラス基材の開口部のそれよりも小さく、従って補強用部材は開口部の一部を隠蔽している。この場合、ガラス基材の開口部は補強用部材の孔を取り囲んでいる。ｂ）では、補強用部材の孔の周長はガラス基材の開口部より大きく（孔が開口部を取り囲んでいる）、そして基材の主面によって部分的に隠蔽されているのが補強用部材の孔である。この場合、補強用部材の孔はガラス基材の開口部を取り囲んでいる。この事例では、基材の開口部２の端面とリングの端面との間隔“ｄ”は、好ましくは５ｍｍを超えない。
【００３６】
図２は、無機ガラス基材の開口部を補強する働きをすることができる補強用部材を、２つの異なる方向から見た斜視図で示している。この補強用部材はリング２０を含んでいて、その表面２１がリングの孔を取り囲む結合トラックを含んでおり、このトラックはガラス基材（図示せず）の開口部の周りに結合させるのを目的としている。この補強用部材は、その軸線がリングのそれでもある管状部分２２を備えている。この管状部分２２は、図２ｂに見ることができる側で補強用部材の全てを隠蔽するよう製作されたカバー（図示せず）にクリップ止めするために使用することができる２つの溝２３（その一方だけを見ることができ、もう一方は同一であるが図の見えない方の側にある）を有する。フィラー部品２４が、結合トラックの側でリングの異なる箇所を連絡しており、それらの箇所は結合トラックの周辺の範囲内にある。このフィラー部品２４は、導電体（図示せず）の通過のための孔２５を含んでいる。フィラー部品は結合トラックから突出しており、ガラス基材の開口部により部分的に形成されるハウジング内に収容することができる。こうして、フィラー部品の下の図２ｂに示したハウジング内で補強用部材に収容されるＬＥＤは、周辺の孔２６を通して光線を、それらがガラス基材の開口部の端面に直接当たりそしてガラス基材中をこの基材と平行に進み続けるように、放射することができる。
【００３７】
図３は、開口部３２を含むガラス基材３１を有する積層グレージングユニット３０を示しており、この開口部は照明装置としても働く本発明による補強用部材を備えている。この補強用部材は図２に示したそれである。この事例では、積層グレージングユニットは自動車の屋根である。この積層グレージングユニットは、開口部３２を有する第１のガラス基材３１と、第１のガラス基材の開口部に面する開口部のない第２のガラス基材３３とを含む。これらの２つのガラス基材は、それらの間に配置されるＰＶＢ層３４によって一緒に結合されている。このＰＶＢは、第１のガラス基材の開口部３２に面する空所３５を形成するように切断されている。ＰＶＢにおける空所３５は、ガラス基材の開口部３２よりわずかに大きい。本発明による補強用部材は、自動車の搭乗室の内側に向けられる孔開きガラス基材の主面３８に接着剤３７により結合された結合トラックを支持するリング３６を含んでいる。補強用部材はまた、リングの（従ってその孔の）軸線と管状部分の軸線とが軸線５２で一致するようにして、リング３６と同じ材料からリングと直角に作製した管状部分３９も含む。リング３６に接合されたフィラー部品４０は、ガラス基材の開口部３２とＰＶＢにおける空所３５の両者によって形成されるハウジング内に位置している。このフィラー部品は、ガラス基材の開口部に面するとともに、補強用部材のリングにより形成された孔に面している。それは、大部品がガラス基材の開口部の範囲内に位置し、グレージングユニット内に収容されている。ＬＥＤ４２を支持する電子回路４１が、リングの孔４３とフィラー部品４０とにより形成されるハウジング内で補強用部材に収容されている。フィラー部品４０は、リング３６の結合トラックに関して突出している。ＬＥＤ４２は、正確に第１のガラス基材の端面４４の高さにあり、そのためそれらの光はこの端面４４を通り抜け、且つ端面でガラス基材と平行に伝播される。これは、ＬＥＤの光が補強用部材の範囲内で電子回路を受け入れているハウジングから発出しガラス基材３１の端面４４を通り抜けて伝播するのを可能にする周縁部の孔５１を、フィラー部品４０が有しているからである。ＰＶＢ３４中に埋め込まれた導電体４５がＰＶＢの空所３５と第１のガラス基材３１の開口部３２内に現れ、そしてその一端４６で電子回路に接続されている。トリム部品４７が補強用部材にクリップ止めされて、補強用部材自体を含めて開口部の全領域が搭乗室の内側から見えないよう隠蔽している。トリム部品は特に、照明を制御するための電子回路により支持された電気スイッチを制御するボタン４８を支持している。トリム部品４７を通して車両の搭乗室の内側を直接照明するために、電子装置４１に支持されたＬＥＤ４９も設けられている。開口部のないガラス基材３３は、開口部３２の領域が自動車の外側から見えないように、すなわち自動車の屋根を通しそしてその結果基材３３を通して見えないように、第１のガラス基材３１に向けられたその主面に黒色のエナメル被膜５０を有している。
【００３８】
図４は、図２及び図３のものと同じ補強用部材を示している。補強用部材のリング６０が、自動車の内側に向けたガラス基材（図示せず）の開口部を取り囲むための結合面を提供する結合トラック６１とともに示されている。フィラー部品６２が補強用部材に接合され、結合トラックから突出して、ガラス基材の開口部により少なくとも部分的に形成されたハウジング内に、且つまたＰＶＢの空所内に収容されている。このフィラー部品は、導電体６４の通過のための孔６３を含んでいる。フィラー部品６２は、ＬＥＤ６６がそれらの光をガラス基材の開口部の端面に向けて放射するのを可能にするよう、周辺部の孔６５を有している。この図に見ることができるトリム部品６７は、自動車の内部搭乗室から見える補強用部材の環状部分にクリップ止めされている。
【００３９】
図５は、本発明による補強用部材を有する照明装置を自動車の内部搭乗室から見た図である。この装置は内部搭乗室の天井に取り付けられる。この装置は、図２、３、４に示したのと同じ部品を含んでいる。この照明装置は、本発明による補強用部材を用いて、自動車のガラス基材を含む積層グレージングユニットにより形成される屋根７０に取り付けられ、そしてこの装置は、それがやはり隠蔽する補強用部材にクリップ止めされたトリム部品７１を含んでいる。このトリム部品は、補強用部材により形成される内部ハウジング（図では見えない）に収容される電子回路に取り付けられた電気スイッチに直接作用する３つの制御ボタン７２を含んでいる。トリム部品の一部は、自動車の内部搭乗室を照明するよう働くＬＥＤの光の通過を可能にするガラス７３を含んでおり、このＬＥＤはボタン７２の１つにより操作可能である。
【実施例】
【００４０】
０．７６ｍｍのＰＶＢシートを用いて集成した２．１ｍｍの２枚のガラスシートを含む２つの同じ積層グレージングユニットを比較した。それぞれの積層品に、ダイヤモンドドリルビットで孔開けして直径３５ｍｍの円形貫通開口部（積層グレージングユニットの）を形成した。内半径３５ｍｍ及び外半径４５ｍｍの焼結ポリアミドのリング状部品を、積層品のうちの一方のものに結合させた。２つの積層グレージングユニットを水平に配置して、１９ｋｇのバッグを孔の上に載せるバッグ試験として知られるものを行った。ポリアミドの部品で補強されていないグレージングユニットは割れたのに対し、ポリアミドの部品で補強したユニットは割れなかった。
本発明の代表的な態様としては、以下を挙げることができる：
《態様１》
無機ガラスシートを含むガラス基材を含み、当該ガラス基材が貫通開口部を含んでいるグレージングユニットであって、当該ガラス基材の主面に前記開口部を取り囲む結合トラックにより補強用部材が結合されていることを特徴とするグレージングユニット。
《態様２》
前記補強用部材が前記結合トラックに取り囲まれた孔を含み、この孔が前記開口部に面して位置していることを特徴とする、態様１記載のグレージングユニット。
《態様３》
前記補強用部材が当該補強用部材の少なくとも２つの箇所を結ぶフィラー部品を含み、当該２つの箇所は前記結合トラックの範囲内で前記孔の両側に位置しており、当該フィラー部品は前記孔に少なくとも部分的に面していて、また当該フィラー部品は前記結合トラックから突出し、前記ガラス基材に面して当該グレージングユニット内に、又は前記ガラス基材の開口部内に、収容されていることを特徴とする、態様２記載のグレージングユニット。
《態様４》
前記補強用部材の孔が前記開口部を取り囲んでおり、当該開口部の端面と当該孔の端面との間隔が５ｍｍを超えていないことを特徴とする、態様２又は３記載のグレージングユニット。
《態様５》
前記補強用部材が、軸線が前記結合トラックと直角である管状部分を含むことを特徴とする、態様１〜４のいずれかに記載のグレージングユニット。
《態様６》
前記ガラス基材に面して、又はその開口部内で、当該グレージングユニットの内部に電気モジュールが収容されていることを特徴とする、態様１〜５のいずれかに記載のグレージングユニット。
《態様７》
前記電気モジュールが、前記ガラス基材の開口部の端面を照らすように配置されたＬＥＤを支持していることを特徴とする、態様６記載のグレージングユニット。
《態様８》
前記補強用部材が前記電気モジュールを受け入れるハウジングを含むことを特徴とする、態様６又は７記載のグレージングユニット。
《態様９》
当該グレージングユニットが積層グレージングユニットであって、当該グレージングユニットにおいて前記貫通開口部を含むガラス基材が外側の第１のガラス基材であり、第２のガラス基材がそれと一緒にされていて、当該２つのガラス基材がポリマー材料の中間層によって隔てられていることを特徴とする、態様１〜８のいずれかに記載のグレージングユニット。
《態様１０》
前記第２のガラス基材が前記第１のガラス基材の開口部に面する開口部を含まないことを特徴とする、態様９記載のグレージングユニット。
《態様１１》
前記補強用部材が前記結合トラックにより取り囲まれた孔を含んでおり、当該孔は前記開口部に面するようにされていて、当該補強用部材は当該孔により少なくとも部分的に画定されたハウジングを含み、このハウジングは、前記ガラス基材の開口部の端面を照らすように配置されたＬＥＤを支持する電気モジュールを受け入れ、そして必要ならば、当該グレージングユニットの外部から直接照明するために配置されたＬＥＤを含む、態様１０記載のグレージングユニット。
《態様１２》
ポリマー材料の前記中間層が、前記第１のガラス基材の開口部に面する空所と、前記結合トラックの範囲内で前記孔の両側の前記補強用部材の少なくとも２つの箇所を連絡するフィラー部品とを含んでいて、このフィラー部品は少なくとも部分的に前記孔に面しており、また当該フィラー部品は前記結合トラックから突出し、当該グレージングユニットの範囲内且つ前記ガラス基材に面している又はその開口部内の空所の範囲内に収容されていることを特徴とする、態様１１記載のグレージングユニット。
《態様１３》
自動車用の、特に自動車の屋根用の、積層グレージングユニットであることを特徴とする、態様１〜１２のいずれかに記載のグレージングユニット。
《態様１４》
前記補強用部材の結合トラックが前記ガラス基材の主面に、厚さが０．１〜５ｍｍの範囲内、一般には０．１〜１ｍｍの範囲内の接着剤を用いて結合されていることを特徴とする、態様１〜１３のいずれかに記載のグレージングユニット。
《態様１５》
ガラス基材の開口部ための照明及び補強用装置であって、当該開口部の周りに結合させるための結合トラックにより取り囲まれた孔を含む補強用部材を含み、当該補強用部材が当該孔によって少なくとも部分的に形成されたハウジングを含み、このハウジングが当該開口部の端面を照らすＬＥＤを支持する電子回路を受け入れる、ガラス基材の開口部ための照明及び補強用装置。
【図１ａ）】
0006557149.tif 000002
【図１ｂ）】
0006557149.tif 000003
【図２ａ）】
0006557149.tif 000004
【図２ｂ）】
0006557149.tif 000005
【図３】
0006557149.tif 000006
【図４】
0006557149.tif 000007
【図５】
0006557149.tif 000008